(57)【要約】【課題】  パチンコ機等に用いられる球ならし部材の取り外し作業の作業性を向上させる。【解決手段】  球ならし部材６が揺動軸７から脱落することを防止する脱落防止部材９を、景品球タンク２及びタンクレール４と独立した別体として構成するとともに、この脱落防止部材９を機構盤８に弾性変形を利用した係止方法にて係止固定する。これにより、球ならし部材６を取り外す必要があった場合であっても、景品球タンク２又はタンクレール４を取り外すことなく、脱落防止部材９を取り外すのみで、容易に球ならし部材６を取り外すことができる。延いては、球ならし部材６を取り外す際の作業能率向上、及びパチンコ機１の組み立て工数の低減を図ることができるとともに、ビス等の締結手段を廃して部品点数を低減して、パチンコ機１の製造原価低減を図ることができる。【選択図】  図３
2006102326.tif 000002
【特許請求の範囲】
【請求項１】
球タンクから排出される遊技球を、遊技球払出装置側に導くタンクレールと、
前記タンクレールの上方側に配置された揺動軸によって揺動可能に支持され、前記タンクレール内を流れる遊技球を整列させる球ならし部材と、
前記タンクレール及び前記球タンクから独立した部材として設けられ、前記球ならし部材が前記揺動軸から脱落することを防止する脱落防止部材とを有し、
前記脱落防止部材は、前記タンクレールが固定された機構盤に、弾性変形を利用した係止方法にて着脱可能に固定されていることを特徴とする弾球遊技機。
【請求項２】
前記脱落防止部材は、前記揺動軸の先端側に位置して前記球ならし部材が前記揺動軸から脱落することを防止するストッパ部を有して構成されており、
さらに、前記ストッパ部と前記揺動軸とが一体化されていることを特徴とする請求項１に記載の弾球遊技機。
【請求項３】
前記揺動軸と前記脱落防止部材とが一体化されており、
さらに、前記脱落防止部材は、前記揺動軸を介して前記機構盤に固定されていることを特徴とする請求項１に記載の弾球遊技機。
【請求項４】
球タンクから排出される遊技球を、遊技球払出装置側に導くタンクレールと、
前記タンクレールの上方側に配置された揺動軸によって揺動可能に支持され、前記タンクレール内を流れる遊技球を整列させる球ならし部材とを備え、
前記揺動軸は、前記タンクレールが固定された機構盤に設けられ、
さらに、前記揺動軸の先端側には、前記揺動軸の軸方向と略直交する径方向に突出して前記球ならし部材が前記揺動軸から脱落することを防止する鍔部が形成されているとともに、先端側から根本側に延びる空間であるスリット部が形成されていることを特徴とする弾球遊技機。
【発明の詳細な説明】
【技術分野】
【０００１】
本発明は、パチンコ遊技機やアレンジボール遊技機等の弾球遊技機に関するものである。
【背景技術】
【０００２】
パチンコ遊技機やアレンジボール遊技機等の弾球遊技機においては、機構盤の裏面側に球タンク及びタンクレールを設け、球タンクから排出される遊技球を、タンクレールを介して遊技球払出装置側に導いている。
【０００３】
また、タンクレールの上方側には、タンクレール内を流れる遊技球を整列させて遊技球が円滑に流れるようにするための球ならし部材が設けられている（例えば、特許文献１又は特許文献２参照）。
【０００４】
そして、特許文献１に記載の発明では、球ならし部材の揺動軸の先端を覆うように球タンクの一部を延出させて抑止片を形成し、この抑止片によって球ならし部材が揺動軸から脱落することを防止している。また、特許文献２に記載の発明では、タンクレールの前側壁を揺動軸を覆うように延出させて抑止片を形成している。
【特許文献１】特開平７−２３６７４４号公報
【特許文献２】特許第３４６９９５０号明細書
【発明の開示】
【発明が解決しようとする課題】
【０００５】
しかし、特許文献１に記載の発明では、球ならし部材が揺動軸から脱落することを防止する抑止片を球タンクと一体に形成しているので、仮に、何らかの不具合により球ならし部材を取り外して交換するためには、球タンク全体を取り外さなければ、球ならし部材を取り外すことができない。
【０００６】
また、特許文献２に記載の発明では、タンクレールに抑止片を一体形成しているので、仮に、何らかの不具合により球ならし部材を取り外して交換するためには、タンクレール全体を取り外さなければ、球ならし部材を取り外すことができない。
【０００７】
一方、球タンク及びタンクレールのいずれも、球ならし部材に比べると非常に大きい部材であるので、比較的多くのビス等の締結手段にて機構盤に固定されている。したがって、いずれの文献の記載に発明も、球ならし部材を取り外す作業は、非常に多くの作業工数を要し、作業効率が低いという問題がある。
【０００８】
本発明は、上記点に鑑み、球ならし部材の取り外し作業を容易に行うことができる弾球遊技機を提供することを目的とする。
【課題を解決するための手段】
【０００９】
本発明は、上記目的を達成するために、請求項１に記載の発明では、球タンク（２）から排出される遊技球を、遊技球払出装置（３）側に導くタンクレール（４）と、タンクレール（４）の上方側に配置された揺動軸（７）によって揺動可能に支持され、タンクレール（４）内を流れる遊技球を整列させる球ならし部材（６）と、タンクレール（４）及び球タンク（２）から独立した部材として設けられ、球ならし部材（６）が揺動軸（７）から脱落することを防止する脱落防止部材（９）とを有し、脱落防止部材（９）は、タンクレール（４）が固定された機構盤（８）に、弾性変形を利用した係止方法にて着脱可能に固定されていることを特徴とする。
【００１０】
これにより、本発明に係る弾球遊技機では、何らかの不具合により球ならし部材（６）を取り外す必要があった場合であっても、球タンク（２）又はタンクレール（４）を取り外すことなく、脱落防止部材（９）を取り外すのみで、容易に球ならし部材（６）を取り外すことができる。
【００１１】
また、脱落防止部材（９）は、弾性変形を利用した係止方法にて機構盤（８）に着脱可能に固定されているので、ネジやビス等の締結手段にて着脱可能に固定されている場合に比べて、容易に脱落防止部材（９）を取り外すことができる。
【００１２】
したがって、本発明に係る弾球遊技機では、球ならし部材（６）を取り外す際の作業能率向上、及び弾球遊技機の組み立て工数の低減を図ることができるとともに、ビス等の締結手段を廃して部品点数を低減して、弾球遊技機の製造原価低減を図ることができる。
【００１３】
請求項２に記載の発明では、脱落防止部材（９）は、揺動軸（７）の先端側に位置して球ならし部材（６）が揺動軸（７）から脱落することを防止するストッパ部（９ａ）を有して構成されており、さらに、ストッパ部（９ａ）と揺動軸（７）とが一体化されていることを特徴とする。
【００１４】
これにより、球ならし部材（６）が揺動軸（７）から脱落することを確実に防止することができるとともに、弾球遊技機の部品点数及び組み立て工数を更に低減することができる。
【００１５】
請求項３に記載の発明では、揺動軸（７）と脱落防止部材（９）とが一体化されており、さらに、脱落防止部材（９）は、揺動軸（７）を介して機構盤（８）に固定されていることを特徴とする。
【００１６】
これにより、球ならし部材（６）が揺動軸（７）から脱落することを確実に防止することができるとともに、弾球遊技機の部品点数及び組み立て工数を更に低減することができる。
【００１７】
請求項４に記載の発明では、球タンク（２）から排出される遊技球を、遊技球払出装置（３）側に導くタンクレール（４）と、タンクレール（４）の上方側に配置された揺動軸（７）によって揺動可能に支持され、タンクレール（４）内を流れる遊技球を整列させる球ならし部材（６）とを備え、揺動軸（７）は、タンクレール（４）が固定された機構盤（８）に設けられ、さらに、揺動軸（７）の先端側には、揺動軸（７）の軸方向と略直交する径方向に突出して、球ならし部材（６）が揺動軸（７）から脱落することを防止する鍔部（７ａ）が形成されているとともに、先端側から根本側に延びる空間であるスリット部（７ｂ）が形成されていることを特徴とする。
【００１８】
これにより、本発明に係る弾球遊技機では、球ならし部材（６）は、弾性変形を利用した係止方法にて揺動軸（７）に係止固定された状態となるので、何らかの不具合により球ならし部材（６）を取り外す必要があった場合であっても、球タンク（２）又はタンクレール（４）を取り外すことなく、容易に球ならし部材（６）を揺動軸（７）から取り外すことができる。
【００１９】
また、本発明では、ネジやビス等の締結手段にて球ならし部材（６）が着脱可能に固定されている場合に比べて、容易に球ならし部材（６）を取り外すことができる。
したがって、本発明に係る弾球遊技機では、球ならし部材（６）を取り外す際の作業能率向上、及び弾球遊技機の組み立て工数の低減を図ることができるとともに、ビス等の締結手段を廃して部品点数を低減して、弾球遊技機の製造原価低減を図ることができる。
【００２０】
因みに、上記各手段等の括弧内の符号は、後述する実施形態に記載の具体的手段等との対応関係を示す一例である。
【発明を実施するための最良の形態】
【００２１】
以下に本発明の実施形態を図面と共に説明する。
（第１実施形態）
本実施形態は、本発明に係る弾球遊技機をパチンコ機に適用したものであり、図１〜図３は、本実施形態に係るパチンコ機を示す図である。
【００２２】
なお、図１は、本実施形態に係るパチンコ機１の裏面図であり、図２は球ならし部材取り付け構造を示す図であり、図２（ａ）は球ならし部材が機構盤（パチンコ機１）に組み付けられた状態示す正面図であり、図２（ｂ）は図２（ａ）の上面図である。また、図３は脱落防止部材を機構盤から外した状態を示す図である。
【００２３】
パチンコ機１の裏面のうち、その最上部には、図１に示すように、パチンコホール（遊技場）の付帯設備である補給装置（図示せず。）から供給される遊技球を貯留する樹脂製の景品球タンク２が設置されている。
【００２４】
そして、景品球タンク２の下方には、この景品球タンク２から流出した遊技球を整列して遊技球払出装置３側に導く樹脂製のタンクレール４が設けられており、遊技球払出装置３とタンクレール４とは、樹脂製のケースレール５を介して接続されている。なお、遊技球払出装置３は、賞態様に応じた個数の遊技球を景品として払い出すための装置である。
【００２５】
また、タンクレール４は、パチンコ機１の裏面側において、遊技球払出装置３側（紙面右側）が低くなるように左右方向に延びており、その略中央部には、タンクレール４内を流れる遊技球を整列させてケースレール５に流れ込む際に遊技球が詰まってしまうことを抑制する球ならし部材６が設けられている。
【００２６】
なお、本実施形態では、タンクレール４を流れる遊技球を確実に整列させるために、球ならし部材６を遊技球の流通方向に沿って直列に複数個配設しているが、本発明はこれに限定されるものではないことは言うまでもない。
【００２７】
また、球ならし部材６は、図２（ａ）に示すように、その上端側がタンクレール４の上方側に配置された揺動軸７によって揺動可能（回転可能）に支持されており、タンクレール４内を流れる遊技球が球ならし部材６の下端側に衝突することによって、球ならし部材６が振り子のごとく揺動しながら遊技球を整列させていく。因みに、図２（ａ）においてはタンクレール４を透視して示している。
【００２８】
そして、揺動軸７は、タンクレール４の上方側において、景品球タンク２及びタンクレール４が固定された機構盤８に固定されている。ここで、「揺動軸７が機構盤８に固定されている」とは、揺動軸７を機構盤８に一体成形する、揺動軸７を機構盤８に溶着する、又は揺動軸７を機構盤８にネジ止めする等の方法により、揺動軸７が機構盤８から容易に外すことができない状態を言う。
【００２９】
また、脱落防止部材９は、図２（ｂ）に示すように、景品球タンク２及びタンクレール４から独立した別部材として設けられて、揺動軸７に装着された球ならし部材６が揺動軸７から脱落することを防止するものである。
【００３０】
そして、本実施形態に係る脱落防止部材９は略コの状に形成されたもので、具体的には、揺動軸７の先端側に位置して球ならし部材６が揺動軸７から脱落することを防止し、かつ、タンクレール４の長手方向と略平行に延びる帯板状のストッパ部９ａ、このストッパ部９ａの長手方向一端側（遊技球流れ上流側）に設けられて機構盤８とストッパ部９ａとを連結する第１保持部９ｂ、及びストッパ部９ａの長手方向他端側（遊技球流れ下流側）に設けられて機構盤８とストッパ部９ａとを連結する第２保持部９ｃから構成されている。
【００３１】
なお、本実施形態では、ストッパ部９ａのうち機構盤８と対向する側に、揺動軸７の先端が嵌り込む凹部９ｆを設け、かつ、脱落防止部材９、つまりストッパ部９ａ、第１保持部９ｂ及び第２保持部９ｃは、樹脂（例えば、ＡＢＳ樹脂）にて一体成形されている。
【００３２】
そして、ストッパ部９ａと第２保持部９ｃとの連結部９ｄには、図３に示すように、三角溝を設けてその他の部分に比べて肉厚を薄くすることにより連結部９ｄで容易に脱落防止部材９が屈曲することができるようにしたヒンジ機構が構成されている。一方、ストッパ部９ａと第１保持部９ｂとの連結部は、ヒンジ機構を設けることなく、剛体的に連結（一体化）されている。
【００３３】
また、第２保持部９ｃは、容易に外れない固定方法にて機構盤８に固定されているのに対して、第１保持部９ｂは、弾性変形を利用した係止方法にて着脱可能に機構盤８に固定されている。
【００３４】
ここで、「容易に外れない固定方法」とは、第２保持部９ｃを機構盤８に溶着する、又は第２保持部９ｃを機構盤８に圧入（例えば、しまりばめ）する等の方法を意味しているのに対して、「弾性変形を利用した係止方法」とは、機構盤８に設けられた係止穴８ａに、脱落防止部材９に設けられた弾性変形可能な鍵状の係止突起部、つまり第１保持部９ｂを嵌め込むことにより、脱落防止部材９を機構盤８に係止固定する嵌合方式を意味し、以下に、より具体的に説明する。
【００３５】
すなわち、第１保持部９ｂの先端側には、第１保持部９ｂから突出する突起部９ｅが設けられて鍵状になっており、この突起部９ｅは、第１保持部９ｂの先端側に向かうほど、その突出寸法が小さくなるように略三角状に形成されている。
【００３６】
一方、係止穴８ａの縁部（端部）のうち第１保持部９ｂ側は、第２保持部９ｃを機構盤８に固定した状態において、第１保持部９ｂの突起部９ｅ側の面、つまり突起部９ｅの根本側の面と一致する位置に形成されている。
【００３７】
このため、第２保持部９ｃを機構盤８に固定した状態で、第１保持部９ｂの先端を係止穴８ａに嵌め込もうとすると、突起部９ｅが障害となって第１保持部９ｂを係止穴８ａに嵌め込むことができない。
【００３８】
しかし、突起部９ｅは、第１保持部９ｂの先端側に向かうほどその突出寸法が小さくなるように略三角状に形成されているので、突起部９ｅと係止穴８ａの端部との接触点で作用する力の分力（図２（ｂ）のＸ方向の力）によって、第１保持部９ｂは、第１保持部９ｂを挟んで突起部９ｅと反対側（図２（ｂ）の右側）に撓むように弾性変形する。
【００３９】
このとき、係止穴８ａは、突起部９ｅを含む第１保持部９ｂの先端側が通過することができる大きさに設定されているため、第１保持部９ｂ、つまり係止突起部が撓み変形することにより第１保持部９ｂの先端側が係止穴８ａを通過することができる。
【００４０】
そして、第１保持部９ｂの先端側、つまり突起部９ｅが係止穴８ａを完全に通過すると、撓み変形していた第１保持部９ｂが元の形状に復元するので、突起部９ｅが機構盤８に引掛かって第１保持部９ｂが機構盤８に係止固定される。
【００４１】
次に、球ならし部材６の着脱手順について説明する。
１．球ならし部材６を組み付ける場合（図３参照）
第１保持部９ｂと機構盤８との係止状態を開放し、揺動軸７に球ならし部材６を装着した後、第１保持部９ｂの先端を係止穴８ａに嵌め込むように押圧する。これにより、第１保持部９ｂと機構盤８とが係止固定され、球ならし部材６が揺動軸７から脱落することが防止される。
２．球ならし部材６を外す場合（図３参照）
第１保持部９ｂの先端側が、第１保持部９ｂを挟んで突起部９ｅと反対側（図２（ｂ）の右側）に撓むような向きの力を第１保持部９ｂに作用させながら、第１保持部９ｂを係止穴８ａから抜くようにする。
【００４２】
これにより、突起部９ｅと機構盤８との係止状態が開放されるので、ストッパ部９ａを揺動軸７の先端側から離すことができ、球ならし部材６を揺動軸７から外すことができる。
【００４３】
次に、本実施形態に係るパチンコ機（弾球遊技機）の特徴を説明する。
本実施形態に係るパチンコ機１では、球ならし部材６が揺動軸７から脱落することを防止する脱落防止部材９は、景品球タンク２及びタンクレール４と独立した別体として構成されているので、何らかの不具合により球ならし部材６を取り外す必要があった場合であっても、景品球タンク２又はタンクレール４を取り外すことなく、脱落防止部材９を取り外すのみで、容易に球ならし部材６を取り外すことができる。
【００４４】
また、脱落防止部材９は、弾性変形を利用した係止方法にて機構盤８に着脱可能に固定されているので、ネジやビス等の締結手段にて着脱可能に固定されている場合に比べて、容易に脱落防止部材９を取り外すことができる。
【００４５】
したがって、本実施形態に係るパチンコ機１では、球ならし部材６を取り外す際の作業能率向上、及びパチンコ機１の組み立て工数の低減を図ることができるとともに、ビス等の締結手段を廃して部品点数を低減して、パチンコ機１の製造原価低減を図ることができる。
【００４６】
また、ストッパ部９ａに揺動軸７の先端が嵌り込む凹部９ｆを設けているので、第１保持部９ｂ及び第２保持部９ｃのみで脱落防止部材９を保持する場合に比べて、脱落防止部材９を確実に固定することができる。したがって、脱落防止部材９が不必要に振動してしまうことを抑制できるので、ビビリ音等の不快な騒音が発生することを未然に防止できる。
【００４７】
（第２実施形態）
第１実施形態では、機構盤８に揺動軸７が固定されていたが、本実施形態は、図４に示すように、揺動軸７をストッパ部９ａに一体形成したものである。
【００４８】
なお、本実施形態では、揺動軸７をストッパ部９ａ（脱落防止部材９）に一体成形することにより、揺動軸７をストッパ部９ａに一体化したが、本実施形態は、これに限定されるものではなく、例えば揺動軸７をストッパ部９ａに溶着する、又はネジやビス等の締結手段にて固定する等して一体化してもよい。
【００４９】
（第３実施形態）
上述の実施形態では、２本の保持部９ｂ、９ｃのうち一方の保持部（第１保持部９ｂ）のみが係止方法にて機構盤８に着脱可能に固定されていたが、本実施形態は、図５に示すように、第１保持部９ｂ及び第２保持部９ｃの両者を係止方法にて機構盤８に着脱可能に固定したものである。
【００５０】
なお、本実施形態では、第２保持部９ｃの形状を第１保持部９ｂの形状と線対称となるようにしたが、本実施形態はこれに限定されるものではなく、例えば第２保持部９ｃと第１保持部９ｂの形状を同一形状としてもよい。
【００５１】
また、本実施形態は、揺動軸７、つまり球ならし部材６が１つであるが、本実施形態は、これに限定されるものではなく、上述の実施形態と同様に、球ならし部材６を複数個としてもよいことは言うまでもない。
【００５２】
（第４実施形態）
上述の実施形態（特に、第２実施形態）では、揺動軸７と第１、２保持部９ｂ、９ｃがそれぞれ別々に設けられていたが、本実施形態は、図６、７に示すように、第１、２保持部９ｂ、９ｃに揺動軸７の機能を兼ねさせて揺動軸７とストッパ部９ａ（脱落防止部材９）とを一体化するとともに、第１、２保持部９ｂ、９ｃをなす揺動軸７を介して脱落防止部材９を機構盤８に着脱可能に固定したものである。
【００５３】
すなわち、第１保持部９ｂ及び第２保持部９ｃの両者を第３実施形態と同様に、鍵状として係止固定可能とするとともに、第１保持部９ｂ及び第２保持部９ｃのうち球ならし部材６と接触する部位の断面形状を略半円状又は略半円筒状とすることにより、揺動軸７として機能を発揮するようにしたものである。
【００５４】
次に、球ならし部材６の着脱手順について説明する。
１．球ならし部材６を組み付ける場合
揺動軸７をなす第１、２保持部９ｂ、９ｃを球ならし部材６の穴に挿入した状態で、第１、２保持部９ｂ、９ｃの先端を係止穴８ａに嵌め込む。これにより、第１、２保持部９ｂ、９ｃは、互いその先端側が近づくように撓み変形するので、第１、２保持部９ｂ、９ｃの先端が係止穴８ａを通過し、図６に示すように、第１、２保持部９ｂ、９ｃが機構盤８に係止固定される。
２．球ならし部材６を外す場合
第１保持部９ｂ及び第２保持部９ｃの先端側が、互いに近づくような力を第１、２保持部９ｂ、９ｃに作用させながら、脱落防止部材９を係止穴８ａから抜くようにする。
【００５５】
これにより、第１保持部９ｂ及び第２保持部９ｃと機構盤８との係止状態が開放されるので、脱落防止部材９を揺動軸７の先端側から離すことができ、球ならし部材６を外すことができる。
【００５６】
以上に説明したように、本実施形態においても、容易に球ならし部材６を取り外すことができるので、球ならし部材６を取り外す際の作業能率向上、及びパチンコ機１の組み立て工数の低減を図ることができるとともに、ビス等の締結手段を廃して部品点数を低減して、パチンコ機１の製造原価低減を図ることができる。
【００５７】
ところで、球ならし部材６は、遊技球を球ならし部材６に衝突させることにより遊技球を整列させるので、遊技球が球ならし部材６に堰き止められるようにしてタンクレール４から溢れ出るおそれがある。
【００５８】
この問題に対しては、タンクレール４の側面を高くする等してタンクレール４から遊技球が溢れ出ることを防止することが望ましいが、例えば第１〜３実施形態では、ストッパ部９ａが比較的に大きいため、タンクレール４の側面を高くするとストッパ部９ａとタンクレール４とが干渉してしまい、タンクレール４の側面を高くすることが難しい。
【００５９】
これに対して、本実施形態では、第１、２保持部９ｂ、９ｃに揺動軸７の機能を兼ねさせて揺動軸７とストッパ部９ａ（脱落防止部材９）とを一体化するとともに、第１、２保持部９ｂ、９ｃをなす揺動軸７を介して脱落防止部材９を機構盤８に着脱可能に固定したので、ストッパ部９ａ（脱落防止部材９）を小型にすることができる。
【００６０】
したがって、タンクレール４の側面を高くすることが可能となるので、タンクレール４から遊技球が溢れ出ることを未然に防止できる。
（第５実施形態）
本実施形態は、図８に示すように、揺動軸７を機構盤８に固定した状態で設けるとともに、揺動軸７自体に球ならし部材６が揺動軸７から脱落することを防止する手段を設けたものである。
【００６１】
すなわち、丸棒状の揺動軸７の先端側に、揺動軸７の軸方向（紙面上下方向）と略直交する径方向（紙面左右方向）に突出して球ならし部材６が揺動軸７から脱落することを防止する鍔部７ａを形成するとともに、揺動軸７の先端側から根本側に延びる空間であるスリット部７ｂを設けたものである。
【００６２】
なお、鍔部７ａは、前記突起部９ｅと同様に、揺動軸７の先端側に向かうほど、突出寸法が小さくなるように略三角状に設けられた突起状のものである。
次に、球ならし部材６の着脱手順について説明する。
１．球ならし部材６を組み付ける場合
揺動軸７にスリット部７ｂが設けられているため、鍔部７ａと球ならし部材６の穴の端部との接触点で作用する力の分力によって、揺動軸７は、その直径が縮小するように撓み変形する。
【００６３】
そして、鍔部７ａが球ならし部材６の穴を完全に通過すると、直径が縮小するように変形していた揺動軸７が、元の直径に戻るように復元するため、鍔部７ａが球ならし部材６の端面に係止され、球ならし部材６が揺動軸７から脱落してしまうことが防止される。
２．球ならし部材６を外す場合
揺動軸７の直径寸法が縮小するような力を揺動軸７の先端（鍔部７ａ）に作用させながら、球ならし部材６を揺動軸７から抜くようにする。
【００６４】
これにより、鍔部７ａと球ならし部材６の端面との係止状態が開放されるので、揺動軸７から球ならし部材６を外すことができる。
以上に説明したように、本実施形態においても、容易に球ならし部材６を取り外すことができるので、球ならし部材６を取り外す際の作業能率向上、及びパチンコ機１の組み立て工数の低減を図ることができるとともに、ビス等の締結手段を廃して部品点数を低減して、パチンコ機１の製造原価低減を図ることができる。
【００６５】
（その他の実施形態）
第１実施形態では、凹部９ｆを設けたが、本発明はこれに限定されるものではなく、凹部９ｆを廃止してもよい。
【００６６】
また、第１〜３実施形態では、第１保持部９ｂ又は第２保持部９ｃを揺動軸７側に撓ませることにより脱落防止部材９と機構盤８とを係止又は開放したが、本発明は、これに限定されるものではなく、例えば突起部９ｅを第１保持部９ｂ又は第２保持部９ｃ先端側のうち揺動軸７側の面に設け、第１保持部９ｂ又は第２保持部９ｃを揺動軸７と反対側に撓ませることにより脱落防止部材９と機構盤８とを係止又は開放してもよい。
【００６７】
また、上述の実施形態では、パチンコ機に本発明を適用したが、本発明はこれに限定されるものではなく、アレンジボール遊技機等のその他の弾球遊技機にも適用することができる。
【００６８】
また、第１〜３実施形態では、脱落防止部材９が２カ所にて機構盤８に固定されていたが、本発明はこれに限定されるものではなく、３カ所以上又は１カ所であってもよい。
また、本発明は、特許請求の範囲に記載された発明の趣旨に合致するものであればよく、上述の実施形態に限定されるものではない。
【図面の簡単な説明】
【００６９】
【図１】本発明の実施形態が適用されたパチンコ機の裏面図である。
【図２】本発明の第１実施形態に係る球ならし部材の取付構造を拡大した説明図である。
【図３】本発明の第１実施形態に係る球ならし部材の取付構造が展開される様子を示す説明図である。
【図４】本発明の第２実施形態に係る球ならし部材の取付構造の説明図である。
【図５】本発明の第３実施形態に係る球ならし部材の取付構造の説明図である。
【図６】本発明の第４実施形態に係る球ならし部材の取付構造の説明図である。
【図７】本発明の第４実施形態に係る球ならし部材の取付構造の説明図である。
【図８】本発明の第５実施形態に係る球ならし部材の取付構造の説明図である。
【符号の説明】
【００７０】
１…パチンコ機、２…景品球タンク、３…遊技球払出装置、４…タンクレール、
５…ケースレール、６…部材、７…揺動軸、７ａ…鍔部、７ｂ…スリット部、
８…機構盤、８ａ…係止穴、９…脱落防止部材、９ａ…ストッパ部、
９ｂ…第１保持部、９ｂ…保持部、９ｃ…第２保持部、９ｄ…連結部、
９ｅ…突起部、９ｆ…凹部。
【図１】
2006102326.tif 000003
【図２】
2006102326.tif 000004
【図３】
2006102326.tif 000005
【図４】
2006102326.tif 000006
【図５】
2006102326.tif 000007
【図６】
2006102326.tif 000008
【図７】
2006102326.tif 000009
【図８】
2006102326.tif 000010